(57)【特許請求の範囲】
【請求項１】
一方向へ延びていて前記一方向と交差する交差方向へ離間して並ぶ複数のサーバラックと、隣接する前記サーバラックの間に位置して前記一方向へ延びるコールドアイルと、隣接する前記サーバラックの間であって該サーバラックを挟んで前記コールドアイルの反対側に位置し、該コールドアイルと並行して前記一方向へ延びるホットアイルと、前記コールドアイルに所定温度の冷風を給気する空調機とを備え、前記空調機から給気された冷風が床下空間を通って前記コールドアイルに流入し、前記冷風が前記コールドアイルから前記サーバラックを通流しつつ該サーバラックに収容されたサーバを冷却することで前記サーバの熱を吸収した温風に変わり、前記温風が前記サーバラックから前記ホットアイルに流入しつつ該ホットアイルから前記空調機に還流する情報処理機器室用空調システムにおいて、
前記空調機には、前記サーバラックよりも上方に配置されて前記コールドアイルの一方の端部の側から他方の端部の側に向かって前記一方向へ冷風を給気する吹出ユニットが接続され、
前記情報処理機器室用空調システムが、複数の第１温度センサを含み、前記複数の第１温度センサが、前記コールドアイルの側に位置する前記サーバラックの頂部に設置されて該コールドアイルの一方の端部から他方の端部に向かって前記一方向へ並び、該サーバラックの頂部における該コールドアイルの第１温度を計測し、前記コールドアイルの側に位置する前記サーバラックの中間部に設置されて該コールドアイルの一方の端部から他方の端部に向かって前記一方向へ並び、該サーバラックの中間部における該コールドアイルの第１温度を計測するとともに、前記コールドアイルの側に位置する前記サーバラックの底部に設置されて該コールドアイルの一方の端部から他方の端部に向かって前記一方向へ並び、該サーバラックの底部における該コールドアイルの第１温度を計測し、
前記情報処理機器室用空調システムでは、前記床下空間から前記コールドアイルに冷風を給気中に、それら第１温度センサが計測した第１温度と設定温度とを比較し、前記第１温度が前記設定温度を超過した場合、その第１温度を計測した第１温度センサ近傍のコールドアイルに熱溜まりが発生していると判断し、その熱溜まりに向かって前記吹出ユニットから冷風を給気することを特徴とする情報処理機器室用空調システム。
【請求項２】
前記サーバラックの頂部に設置された前記複数の第１温度センサが、前記コールドアイルの一方の端部から他方の端部に向かって前記一方向へ等間隔離間して並び、前記サーバラックの中間部に設置された前記複数の第１温度センサが、前記コールドアイルの一方の端部から他方の端部に向かって前記一方向へ等間隔離間して並ぶとともに、前記サーバラックの底部に設置された前記複数の第１温度センサが、前記コールドアイルの一方の端部から他方の端部に向かって前記一方向へ等間隔離間して並び、前記サーバラックの中間部に設置された前記第１温度センサが、前記サーバラックの頂部に設置された前記第１温度センサの直下に位置し、前記サーバラックの底部に設置された前記第１温度センサが、前記サーバラックの中間部に設置された前記第１温度センサの直下に位置している請求項１に記載の情報処理機器室用空調システム。
【請求項３】
前記空調機が、前記吹出ユニットに給気する冷風の風量を調節する第１ダンパと、前記床下空間に給気する冷風の風量を調節する第２ダンパとを有し、前記空調システムでは、前記空調機から給気される冷風の全風量を１００％としたときに、前記吹出ユニットから給気する冷風の割合が１０〜３０％の範囲になるとともに、前記床下空間に供給する冷風の割合が７０〜９０％の範囲になるように、前記第１および第２ダンパの開度を調節する請求項１または請求項２に記載の情報処理機器室用空調システム。
【請求項４】
前記空調機が、前記床下空間と前記吹出ユニットとに冷風を送る少なくとも１台の送風機を有し、前記空調システムでは、前記空調機から給気される冷風の全風量を１００％としたときに、前記吹出ユニットに供給する冷風の割合が１０〜３０％の範囲になるとともに、前記床下空間に供給する冷風の割合が７０〜９０％の範囲になるように、前記送風機の送風能力を調節する請求項１ないし請求項３いずれかに記載の情報処理機器室用空調システム。
【請求項５】
前記吹出ユニットが、空気流入口と、上下方向へ並ぶとともに前記一方向へ向かって開口する第１〜第ｎ空気吹出口と、前記空気流入口からそれら空気吹出口に向かって延びる第１〜第ｎ空気流路と、それら空気流路に設置されて該空気流路を通る冷風の風速を調整する第１〜第ｎ風速調節機構とを備え、前記空調システムでは、それら風速調節機構を利用して前記第１〜第ｎ空気吹出口から給気される冷風の速度を調節し、それら吹出口から給気される冷風の前記コールドアイルにおける到達距離を変更する請求項１ないし請求項４いずれかに記載の情報処理機器室用空調システム。
【請求項６】
前記空調システムでは、前記吹出ユニットの位置から遠距離の前記コールドアイルに発生した熱溜まりに前記第１〜第ｎ空気吹出口のうちの上段に位置する吹出口から冷風を給気し、前記吹出ユニットの位置から中間距離の前記コールドアイルに発生した熱溜まりに前記第１〜第ｎ空気吹出口のうちの中段に位置する吹出口から冷風を給気するとともに、前記吹出ユニットの位置から近距離の前記コールドアイルに発生した熱溜まりに前記第１〜第ｎ空気吹出口のうちの下段に位置する吹出口から冷風を給気する請求項５に記載の情報処理機器室用空調システム。
【請求項７】
前記空調システムが、前記コールドアイルの天井の所定の箇所に設置された導風機構を含み、前記空調システムでは、前記導風機構を利用して前記吹出ユニットから給気される冷風を前記熱溜まりに誘導する請求項１ないし請求項６いずれかに記載の情報処理機器室用空調システム。
【請求項８】
前記導風機構が、前記天井から下方への延出寸法を調節可能、かつ、前記サーバラックの頂部から上方への延出寸法を調節可能であり、前記空調システムでは、前記熱溜まりの発生箇所と該熱溜まりの温度との少なくとも一方に応じて前記導風機構の下方への延出寸法を調節するとともに、前記熱溜まりの発生箇所と該熱溜まりの温度との少なくとも一方に応じて前記導風機構の上方への延出寸法を調節する請求項７に記載の情報処理機器室用空調システム。
【請求項９】
前記空調システムでは、複数の前記導風機構が前記交差方向に並んで設置され、前記熱溜まりの発生箇所に応じてそれら導風機構の導風機能をＯＮ／ＯＦＦする請求項７または請求項８に記載の情報処理機器室用空調システム。
【請求項１０】
前記導風機構が、上下方向へ延びる風向板と、前記上下方向へ延びていて前記風向板を摺動可能に支持する支持部材とから形成されている請求項７ないし請求項９いずれかに記載の情報処理機器室用空調システム。
【請求項１１】
前記吹出ユニットから給気される冷風が、コアンダ効果によって前記コールドアイルの天井に沿って前記熱溜まりに向かうとともに、前記コアンダ効果によって前記コールドアイルと前記ホットアイルとを仕切るたれ壁に沿って前記熱溜まりに向かう請求項１ないし請求項１０いずれかに記載の情報処理機器室用空調システム。
【発明の詳細な説明】
【技術分野】
【０００１】
本発明は、情報処理機器室のサーバラックに収容された複数のサーバを冷却し、それらサーバの故障を防ぐ情報処理機器室用空調システムに関する。
【背景技術】
【０００２】
情報処理機器室（たとえば、データセンター）では、空調室に据え付けたサーバラックに収容された複数台のサーバの稼働によってそれらサーバが自己発熱し、それらサーバの温度が上昇してサーバの故障の原因になることから、空調機によってサーバを冷却する必要がある。情報処理機器室のそれらサーバを冷却する情報処理機器室用空調システムとしては、情報処理機器室の空調室に設置されて前後方向へ延びる複数のサーバラックと、隣接するサーバラックの間に位置して前後方向へ延びるコールドアイルと、隣接するサーバラックの間であってサーバラックを挟んでコールドアイルの反対側に位置し、コールドアイルと並行して前後方向へ延びるホットアイルと、情報処理機器室の空調室に設置された空調機とを有する空調システムが知られている。
【０００３】
この空調システムは、空調機によって所定温度に冷却された冷風が空調機から空調室の床下空間に給気されるとともに、冷風が床下空間を通ってコールドアイルに流入し、その冷風がコールドアイルからサーバラックを通流しつつサーバラックに収容されたサーバを冷却する。サーバを冷却した冷風はサーバの熱を吸収した温風に変わり、その温風がサーバラックからホットアイルに流入し、ホットアイルから空調室の天井空間に流入するとともに、天井空間を通って再び空調機に還流する。なお、温風の一部は外気に放出され、残余の温風が外気とともに空調機に流入する。
【０００４】
通信機器室等のサーバラックに収容されたそれらサーバを確実に冷却するためにコールドアイルの天井の上部に前後方向へ並ぶ複数台の局所冷却装置を設置した空調システムが開示されている（特許文献１参照）。この空調システムでは、空調機から床下空間に給気された冷風がサーバラックの下方から上方へ流動しつつラックに収容されたサーバを冷却し、サーバの熱を吸収した温風がサーバラックの上方から流出して局所冷却装置に流入するとともに、空調機に流入する。局所冷却装置に流入した温風は局所冷却装置によって冷却されて冷風に変わり、その冷風がコールドアイルをその上方から下方へ向かって流動しつつサーバラックの側方からラックに流入し、サーバラックに収容されたサーバを冷却する。
【先行技術文献】
【特許文献】
【０００５】
【特許文献１】特開２００９−１３３６１７号公報
【発明の概要】
【発明が解決しようとする課題】
【０００６】
冷風が床下空間からコールドアイルに給気され、サーバの熱を吸収した温風が天井空間から空調機に還流する空調システムでは、床下空間からコールドアイルに冷風を給気中に、サーバの稼働状況によってコールドアイルの所定の箇所に熱溜まりが発生する場合があるが、コールドアイルに発生した熱溜まりに向かって冷風を給気することができないから、熱溜まりを選択的に冷却することができず、熱溜まりを解消することができない。コールドアイルに熱溜まりが存在すると、熱溜まり近傍のサーバの温度を低下させることができず、温度が高い状態でサーバが稼働を継続することになり、サーバの故障の原因になる。また、前記特許文献１に開示の空調システムでは、コールドアイル全域をその上方から満遍なく冷却することができるが、複数台の局所冷却装置を設置し、それら局所冷却装置のすべてを稼働させる必要があるから、サーバの冷却時に大量のエネルギーが消費され、システムにおける省エネルギー化を図ることができない。
【０００７】
本発明の目的は、コールドアイルの所定の箇所に発生した熱溜まりに向かって冷風を給気することができ、熱溜まりを選択的に冷却することができるとともに、熱溜まりを解消することができる情報処理機器室用空調システムを提供することにある。本発明の他の目的は、床下空間からコールドアイルに給気された冷風と熱溜まりに給気された冷風とによってサーバラックに収容されたサーバを確実に冷却することができ、温度上昇によるサーバの故障を防ぐことができる情報処理機器室用空調システムを提供することにある。さらに、サーバの冷却に使用するエネルギーを少なくすることができ、システムにおける省エネルギー化を図ることができる情報処理機器室用空調システムを提供することにある。
【課題を解決するための手段】
【０００８】
前記課題を解決するための本発明の前提は、一方向へ延びていて一方向と交差する交差方向へ離間して並ぶ複数のサーバラックと、隣接するサーバラックの間に位置して一方向へ延びるコールドアイルと、隣接するサーバラックの間であってサーバラックを挟んでコールドアイルの反対側に位置し、コールドアイルと並行して一方向へ延びるホットアイルと、コールドアイルに所定温度の冷風を給気する空調機とを備え、空調機から給気された冷風が床下空間を通ってコールドアイルに流入し、冷風がコールドアイルからサーバラックを通流しつつサーバラックに収容されたサーバを冷却することでサーバの熱を吸収した温風に変わり、温風がサーバラックからホットアイルに流入しつつホットアイルから空調機に還流する情報処理機器室用空調システムである。
【０００９】
前記前提における本発明の特徴として、空調機には、サーバラックよりも上方に配置されてコールドアイルの一方の端部の側から他方の端部の側に向かって一方向へ冷風を給気する吹出ユニットが接続され、情報処理機器室用空調システムが、複数の第１温度センサを含み、複数の第１温度センサが、コールドアイルの側に位置するサーバラックの頂部に設置されてコールドアイルの一方の端部から他方の端部に向かって一方向へ並び、サーバラックの頂部におけるコールドアイルの第１温度を計測し、コールドアイルの側に位置するサーバラックの中間部に設置されてコールドアイルの一方の端部から他方の端部に向かって一方向へ並び、サーバラックの中間部におけるコールドアイルの第１温度を計測するとともに、コールドアイルの側に位置するサーバラックの底部に設置されてコールドアイルの一方の端部から他方の端部に向かって一方向へ並び、サーバラックの底部におけるコールドアイルの第１温度を計測し、情報処理機器室用空調システムでは、床下空間からコールドアイルに冷風を給気中に、それら第１温度センサが計測した第１温度と設定温度とを比較し、第１温度が設定温度を超過した場合、その第１温度を計測した第１温度センサ近傍のコールドアイルに熱溜まりが発生していると判断し、その熱溜まりに向かって吹出ユニットから冷風を給気することにある。
【００１０】
本発明の一例としては、サーバラックの頂部に設置された複数の第１温度センサがコールドアイルの一方の端部から他方の端部に向かって一方向へ等間隔離間して並び、サーバラックの中間部に設置された複数の第１温度センサがコールドアイルの一方の端部から他方の端部に向かって一方向へ等間隔離間して並ぶとともに、サーバラックの底部に設置された複数の第１温度センサがコールドアイルの一方の端部から他方の端部に向かって一方向へ等間隔離間して並び、サーバラックの中間部に設置された第１温度センサがサーバラックの頂部に設置された第１温度センサの直下に位置し、サーバラックの底部に設置された第１温度センサがサーバラックの中間部に設置された第１温度センサの直下に位置している。
【００１１】
本発明の他の一例としては、空調機が、吹出ユニットに給気する冷風の風量を調節する第１ダンパと、床下空間に給気する冷風の風量を調節する第２ダンパとを有し、空調システムでは、空調機から給気される冷風の全風量を１００％としたときに、吹出ユニットから給気する冷風の割合が１０〜３０％の範囲になるとともに、床下空間に供給する冷風の割合が７０〜９０％の範囲になるように、第１および第２ダンパの開度を調節する。
【００１２】
本発明の他の一例としては、空調機が、床下空間と吹出ユニットとに冷風を送る少なくとも１台の送風機を有し、空調システムでは、空調機から給気される冷風の全風量を１００％としたときに、吹出ユニットに供給する冷風の割合が１０〜３０％の範囲になるとともに、床下空間に供給する冷風の割合が７０〜９０％の範囲になるように、送風機の送風能力を調節する。
【００１３】
本発明の他の一例としては、吹出ユニットが、空気流入口と、上下方向へ並ぶとともに一方向へ向かって開口する第１〜第ｎ空気吹出口と、空気流入口からそれら空気吹出口に向かって延びる第１〜第ｎ空気流路と、それら空気流路に設置されて空気流路を通る冷風の風速を調整する第１〜第ｎ風速調節機構とを備え、空調システムでは、それら風速調節機構を利用して第１〜第ｎ空気吹出口から給気される冷風の速度を調節し、それら吹出口から給気される冷風のコールドアイルにおける到達距離を変更する。
【００１４】
本発明の他の一例として、空調システムでは、吹出ユニットの位置から遠距離のコールドアイルに発生した熱溜まりに第１〜第ｎ空気吹出口のうちの上段に位置する吹出口から冷風を給気し、吹出ユニットの位置から中間距離のコールドアイルに発生した熱溜まりに第１〜第ｎ空気吹出口のうちの中段に位置する吹出口から冷風を給気するとともに、吹出ユニットの位置から近距離のコールドアイルに発生した熱溜まりに第１〜第ｎ空気吹出口のうちの下段に位置する吹出口から冷風を給気する。
【００１５】
本発明の他の一例としては、空調システムが、コールドアイルの天井の所定の箇所に設置された導風機構を含み、空調システムでは、導風機構を利用して吹出ユニットから給気される冷風を熱溜まりに誘導する。
【００１６】
本発明の他の一例としては、導風機構が、天井から下方への延出寸法を調節可能、かつ、サーバラックの頂部から上方への延出寸法を調節可能であり、空調システムでは、熱溜まりの発生箇所と熱溜まりの温度との少なくとも一方に応じて導風機構の下方への延出寸法を調節するとともに、熱溜まりの発生箇所と熱溜まりの温度との少なくとも一方に応じて導風機構の上方への延出寸法を調節する。
【００１７】
本発明の他の一例として、空調システムでは、複数の導風機構が交差方向に並んで設置され、熱溜まりの発生箇所に応じてそれら導風機構の導風機能をＯＮ／ＯＦＦする。
【００１８】
本発明の他の一例としては、導風機構が、上下方向へ延びる風向板と、上下方向へ延びていて風向板を摺動可能に支持する支持部材とから形成されている。
【００１９】
本発明の他の一例としては、吹出ユニットから給気される冷風がコアンダ効果によってコールドアイルの天井に沿って熱溜まりに向かうとともに、コアンダ効果によってコールドアイルとホットアイルとを仕切るたれ壁に沿って熱溜まりに向かう。
【発明の効果】
【００２０】
本発明にかかる情報処理機器室用空調システムによれば、床下空間からコールドアイルに冷風を給気中に、コールドアイルの所定の箇所に発生した熱溜まりに向かって吹出ユニットから冷風を給気するから、コールドアイルの熱溜まりに向かって冷風を給気することができ、熱溜まりを選択的に冷却することができるとともに、熱溜まりを解消することができる。空調システムは、コールドアイルの熱溜まりを解消することができるから、サーバラックに収容された熱溜まり近傍のサーバが冷却され、サーバの温度上昇を防ぐことができ、温度上昇にともなうサーバの故障を防ぐことができる。空調システムは、空調機に接続された吹出ユニットから熱溜まりに冷風を給気し、それによって熱溜まりを冷却するから、前記特許文献１に開示の空調システムのように空調機の他に複数台の局所冷却装置を設置する必要はなく、サーバの冷却に使用するエネルギーを少なくすることができ、システムにおける省エネルギー化を図ることができる。
【００２１】
情報処理機器室用空調システムは、コールドアイルの側に位置するサーバラックの頂部に設置されてコールドアイルの一方の端部から他方の端部に向かって一方向へ並び、サーバラックの頂部におけるコールドアイルの第１温度を計測する複数の第１温度センサと、コールドアイルの側に位置するサーバラックの中間部に設置されてコールドアイルの一方の端部から他方の端部に向かって一方向へ並び、サーバラックの中間部におけるコールドアイルの第１温度を計測する複数の第１温度センサと、コールドアイルの側に位置するサーバラックの底部に設置されてコールドアイルの一方の端部から他方の端部に向かって一方向へ並び、サーバラックの底部におけるコールドアイルの第１温度を計測する複数の第１温度センサとを含み、床下空間からコールドアイルに冷風を給気中に、それら第１温度センサが計測した第１温度と設定温度とを比較し、第１温度が設定温度を超過した場合、その第１温度を計測した第１温度センサ近傍のコールドアイルに熱溜まりが発生していると判断するから、それら温度センサを利用してコールドアイルの所定の箇所に発生した熱溜まりを的確に検出することができる。空調システムは、検出した熱溜まりに吹出ユニットから冷風を給気するから、検出した熱溜まりを選択的に冷却することができるとともに、その熱溜まりを解消することができる。
【００２２】
吹出ユニットに給気する冷風の風量を調節する第１ダンパと、床下空間に給気する冷風の風量を調節する第２ダンパとを有し、空調機から給気される冷風の全風量を１００％としたときに、吹出ユニットから給気する冷風の割合が１０〜３０％の範囲になるとともに、床下空間に供給する冷風の割合が７０〜９０％の範囲になるように、第１および第２ダンパの開度を調節する情報処理機器室用空調システムは、第１および第２ダンパを利用して床下空間や吹出ユニットに供給する冷風の割合を前記範囲に調節することで、床下空間に給気する冷風によってコールドアイル全域を冷却することが可能となり、冷風をコールドアイル全域からサーバラックに通流させることができるとともに、吹出ユニットから給気する冷風によって局所的に発生した熱溜まりを冷却することができ、その熱溜まりを解消することができる。空調システムは、前記割合に調節された冷風によってコールドアイルの熱溜まりを解消することができるから、サーバラックに収容された熱溜まり近傍のサーバを確実に冷却することができ、熱溜まり近傍のサーバの温度上昇を防ぐことができる。空調システムは、空調機の冷却能力のみを利用してサーバを冷却することができるとともに熱溜まりを解消することができるから、前記特許文献１に開示の空調システムのように複数台の局所冷却装置を設置する必要はなく、サーバの冷却に使用するエネルギーを少なくすることができ、システムにおける省エネルギー化を図ることができる。
【００２３】
床下空間と吹出ユニットとに冷風を送る少なくとも１台の送風機を有し、空調機から給気される冷風の全風量を１００％としたときに、吹出ユニットに供給する冷風の割合が１０〜３０％の範囲になるとともに、床下空間に供給する冷風の割合が７０〜９０％の範囲になるように、送風機の送風能力を調節する情報処理機器室用空調システムは、送風機を利用して床下空間や吹出ユニットに供給する冷風の割合を前記範囲に調節することで、床下空間に給気する冷風によってコールドアイル全域を冷却することが可能となり、冷風をコールドアイル全域からサーバラックに通流させることができるとともに、吹出ユニットから給気する冷風によって局所的に発生した熱溜まりを冷却することができ、その熱溜まりを解消することができる。空調システムは、前記割合に調節された冷風によってコールドアイルの熱溜まりを解消することができるから、サーバラックに収容された熱溜まり近傍のサーバを確実に冷却することができ、熱溜まり近傍のサーバの温度上昇を防ぐことができる。空調システムは、空調機の冷却能力のみを利用してサーバを冷却することができるとともに熱溜まりを解消することができるから、前記特許文献１に開示の空調システムのように空調機の他に複数台の局所冷却装置を設置する必要はなく、サーバの冷却に使用するエネルギーを少なくすることができ、システムにおける省エネルギー化を図ることができる。
【００２４】
第１〜第ｎ風速調節機構を利用して第１〜第ｎ空気吹出口から給気される冷風の速度を調節し、それら吹出口から給気される冷風のコールドアイルにおける到達距離を変更する情報処理機器室用空調システムは、第１〜第ｎ風速調節機構を利用することで、第１〜第ｎ空気吹出口から給気される冷風のコールドアイルにおける到達距離を自由に変更することができるから、コールドアイルの所定の箇所に発生した熱溜まりに冷風を確実に給気することができ、熱溜まりを選択的に冷却することでその熱溜まりを解消することができる。空調システムは、吹出ユニットの第１〜第ｎ空気吹出口から給気される冷風によってコールドアイルの熱溜まりを解消することができるから、サーバラックに収容された熱溜まり近傍のサーバを確実に冷却することができ、熱溜まり近傍のサーバの温度上昇を防ぐことができる。
【００２５】
吹出ユニットの位置から遠距離の熱溜まりに上段に位置する空気吹出口から冷風を給気し、吹出ユニットの位置から中間距離の熱溜まりに中段に位置する空気吹出口から冷風を給気するとともに、吹出ユニットの位置から近距離の熱溜まりに下段に位置する空気吹出口から冷風を給気する情報処理機器室用空調システムは、コールドアイルに発生した遠距離の熱溜まりや中距離の熱溜まり、近距離の熱溜まりに吹出ユニットの第１〜第ｎ空気吹出口から冷風を給気することができるから、熱溜まりがコールドアイルのいずれの箇所に発生したとしても、その熱溜まりに向かって冷風を給気することができ、熱溜まりをピンポイントに冷却してその熱溜まりを解消することができる。
【００２６】
コールドアイルの天井の所定の箇所に設置された導風機構を含み、導風機構を利用して吹出ユニットから給気される冷風を熱溜まりに誘導する情報処理機器室用空調システムは、導風機構を利用して吹出ユニットから給気される冷風を熱溜まりに向かわせることができるから、導風機構の設置位置を変更することで、熱溜まりがコールドアイルのいずれの箇所に発生したとしても、その熱溜まりに向かって冷風を給気することができ、熱溜まりを選択的に冷却してその熱溜まりを解消することができる。
【００２７】
導風機構が天井から下方への延出寸法を調節可能、かつ、サーバラックの頂部から上方への延出寸法を調節可能であり、熱溜まりの発生箇所と熱溜まりの温度との少なくとも一方に応じて導風機構の下方への延出寸法を調節するとともに、熱溜まりの発生箇所と熱溜まりの温度との少なくとも一方に応じて導風機構の上方への延出寸法を調節する情報処理機器室用空調システムは、たとえば、コールドアイルに発生した熱溜まりがコールドアイルの上方であった場合、導風機構の天井から下方への延出寸法を短くすることで、その熱溜まりに冷風を誘導することができ、熱溜まりを冷却してその熱溜まりを確実に解消することができる。また、コールドアイルに発生した熱溜まりがコールドアイルの中間または下方であった場合、導風機構の天井から下方への延出寸法を長くすることで、その熱溜まりに冷風を誘導することができ、熱溜まりを冷却してその熱溜まりを解消することができる。空調システムは、たとえば、コールドアイルに発生した熱溜まりが吹出ユニットの位置から遠距離と吹出ユニットの位置から近距離であった場合、導風機構の下方を遮り、導風機構の上方を開放することで、下段に位置する空気吹出口から給気された冷風を導風機構によって近距離の熱溜まりに誘導し、上段に位置する空気吹出口から給気された冷風を導風機構の上方を通過させて遠距離の熱溜まりに向かわせることができ、それら熱溜まりを同時に冷却してそれら熱溜まりを解消することができる。空調システムは、熱溜まりの温度が高い場合、導風機構の天井から下方への延出寸法を長くし、または、導風機構のサーバラックの頂部から上方への延出寸法を長くすることで、多量の冷風を熱溜まりに給気することができ、熱溜まりを解消することができる。
【００２８】
複数の導風機構が交差方向に並んで設置され、熱溜まりの発生箇所に応じてそれら導風機構の導風機能をＯＮ／ＯＦＦする情報処理機器室用空調システムは、熱溜まりの発生箇所の近傍に位置する導風機構の導風機能をＯＮにすることで、導風機構の導風機能を利用してその熱溜まりに冷風を誘導することができ、その熱溜まりを冷却することができる。逆に、熱溜まりが発生していない箇所に設置された導風機構の導風機能をＯＦＦにすることで、熱溜まりが発生していない箇所の導風機構が冷風の流動の邪魔をすることはないから、他の箇所に発生した熱溜まりに冷風を給気することができる。またたとえば、熱溜まりがコールドアイルの一方の側部の側に発生した場合、その熱溜まりの位置に設置された導風機構の導風機能をＯＮにすることで、その熱溜まりに冷風を誘導することができ、他方の導風機構の導風機能をＯＦＦにすることで、その熱溜まりから遠方に発生した熱溜まりに冷風を給気することができる。空調システムは、熱溜まりがコールドアイルの側部の側に偏って発生したとしても、導風機構を利用してその熱溜まりに冷風を誘導することができ、熱溜まりを冷却してその熱溜まりを解消することができる。
【００２９】
導風機構が上下方向へ延びる風向板と上下方向へ延びていて風向板を摺動可能に支持する支持部材とから形成されている情報処理機器室用空調システムは、支持部材に支持された風向板を利用することで、吹出ユニットから給気される冷風を熱溜まりに向かわせることができるから、風向板の設置位置を変更することで、熱溜まりがコールドアイルのいずれの箇所に発生したとしても、その熱溜まりに向かって冷風を給気することができ、熱溜まりをピンポイントに冷却してその熱溜まりを解消することができる。
【００３０】
吹出ユニットから給気される冷風がコアンダ効果によってコールドアイルの天井に沿って熱溜まりに向かうとともに、コアンダ効果によってコールドアイルとホットアイルとを仕切るたれ壁に沿って熱溜まりに向かう情報処理機器室用空調システムは、冷風がコアンダ効果によって熱黙りに確実に届けられ、コールドアイルにおいて冷風が四方へ分散することによる熱溜まりへの冷風の未到達を防ぐことができるから、熱溜まりがコールドアイルのいずれの箇所に発生したとしても、その熱溜まりに向かって冷風を給気することができ、熱溜まりを選択的に冷却してその熱溜まりを解消することができる。
【発明を実施するための形態】
【００３１】
一例として示す情報処理機器室用空調システム１０を設置したデータセンター１１の空調室１２および機械室２３の側面図である図１等の添付の図面を参照し、本発明にかかる情報処理機器室用空調システムの詳細を説明すると、以下のとおりである。なお、図２は、情報処理機器室用空調システム１０を設置した空調室１２の正面図であり、図３は、情報処理機器室用空調システム１０を設置したデータセンター１１の空調室１２および機械室２３の上面図である。図４は、一例として示す第１〜第３吹出ユニット１９ａ〜１９ｃの側面図であり、図５は、一例として示す導風機構４６ａ〜４６ｃの側面図である。図６は、図５の導風機構４６ａ〜４６ｃの正面図である。
【００３２】
情報処理機器室空調システム１０は、データセンター１１に設置され、データセンター１１の空調室１２（情報処理機器室）に据え付けられたサーバラック１３（情報処理機器収納専用ラック）に収容された複数台のサーバの冷却に利用される。なお、この空調システム１０は、データセンター１１の空調室１２のみならず、複数台のサーバ（その他のネットワーク機器を含む）が設置され、それらサーバを冷却する必要がある室に利用することができる。空調システム１０は、空調室１２に据え付けられた複数のサーバラック１３と、コールドアイル１４およびホットアイル１５と、第１〜第３空調機１６ａ〜１６ｃ（空調機）と、複数の第１温度センサ１７ａ〜１７ｉと、空調室１２の代表温度測定に使用する第２温度センサ１８と、第１〜第３吹出ユニット１９ａ〜１９ｃ（偏風量吹出ユニット）と、コントローラ２０（制御装置）とから構成されている。
【００３３】
なお、図３では、３台の第１〜第３空調機１６ａ〜１６ｃおよび３台の第１〜第３吹出ユニット１９ａ〜１９ｃを図示しているが、空調機や吹出ユニットの台数に特に限定はなく、空調室１２の容積やそこに据え付けられるサーバラック１３の数によって４台以上の空調機や吹出ユニットが設置されてもよく、１台の空調機や吹出ユニットが設置されてもよい。
【００３４】
サーバラック１３は、複数のそれらが前後方向（一方向）へ連続して並ぶとともに、横方向（一方向と交差する交差方向）へ等間隔離間して並び、横方向へ互いに並行するように空調室１２に据え付けられている。サーバラック１３には、図示はしていないが、複数台のサーバ（その他のネットワーク機器を含む）が設置・固定されている。それらサーバは、電源装置に接続され、その稼働時に運転熱によって自己発熱し、その温度が上昇する。
【００３５】
コールドアイル１４は、隣接するサーバラック１３の間に位置して前後方向へ延びている。コールドアイル１４は、天井５１（天井パネル）や床（床パネル）、側壁と、隣接するサーバラック１３と、それらサーバラック１３の頂部２１と天井５１との間に位置して上下方向へ延びるたれ壁２２（図２参照）とに囲繞されている。コールドアイル１４は、通行可能な所定の容積を有し、冷風（冷却空気）が通流する。コールドアイル１４の床には、図示はしていないが、前後方向へ延びる冷風吹出開口パネルが施設されている。
【００３６】
ホットアイル１５は、隣接するサーバラック１３の間であってサーバラック１３を挟んでコールドアイル１４の反対側に位置し、コールドアイル１４と並行して前後方向へ延びている。ホットアイル１５は、天井５１（天井パネル）や床（床パネル）、側壁と、隣接するサーバラック１３と、たれ壁２２とに囲繞されている。ホットアイル１５は、通行可能な所定の容積を有し、温風（加熱空気）が通流する。ホットアイル１５の天井５１には、図示はしていないが、前後方向へ延びる温風吸込開口が施設されている。コールドアイル１４とホットアイル１５とは、サーバラック１３およびたれ壁２２によって仕切られている。
【００３７】
第１〜第３空調機１６ａ〜１６ｃは、床置き型であり、側壁を隔てて空調室１２に隣接する機械室２３の床に設置されている。それら空調機１６ａ〜１６ｃは、空調室１２から還流した温風と外気との混合気を冷却して空調された所定温度の冷風を作り、その冷風を空調室１２のコールドアイル１４に給気する。空調機１６ａ〜１６ｃには、空冷式や水冷式の空調機を使用することができる。
【００３８】
それら空調機１６ａ〜１６ｃには、空調室１２からの還流空気と外気との混合気の吸気口２４が設置され、その内部に冷却コイル２５と送風ファン２６（送風機）とフィルタ（図示せず）と加湿器（図示せず）とが設置されている。送風ファン２６は、インバータ制御によってその送風能力（出力）が調節される。なお、送風ファン２６の台数に特に限定はなく、空調室１２に給気する冷風の給気分担や冗長性設計のために１台または複数台の送風ファン２６が空調機１６ａ〜１６ｃに設置される。それら空調機１６ａ〜１６ｃの頂部には、第１給気ダクト２７が接続され、それら空調機１６ａ〜１６ｃの底部には、第２給気ダクト２８が接続されている。
【００３９】
第１給気ダクト２７は、空調機１６ａ〜１６ｃの頂部から上方へ向かって延出し、その先端部に吹出ユニット１９ａ〜１９ｃが接続されている。第１給気ダクト２７には、第１モータダンパ２９（第１ダンパ）（ＭＤ）が設置されている。第１給気ダクト２７では、第１モータダンパ２９の開度（モータダンパ２９の旋回羽根の旋回角度）によってそこを通る冷風の風量が調節される。
【００４０】
第１空調機１６ａには、第１給気ダクト２７を介して第１吹出ユニット１９ａが接続され、第２空調機１６ｂには、第１給気ダクト２７を介して第２吹出ユニット１９ｂが接続されているとともに、第３空調機１６ｃには、第１給気ダクト２７を介して第３吹出ユニット１９ｃが接続されている。
【００４１】
第２給気ダクト２８は、空調機１６ａ〜１６ｃの底部から前方へ向かって延出し、その先端部が側壁を貫通して空調室１２の床下空間３０に配置されている。第２給気ダクト２８には、第２モータダンパ３１（第２ダンパ）（ＭＤ）が設置されている。第２給気ダクト２８では、第２モータダンパ３１の開度（モータダンパ３１の旋回羽根の旋回角度）によってそこを通る冷風の風量が調節される。
【００４２】
第１〜第３空調機１６ａ〜１６ｃそれぞれの底部から延びるそれら第２給気ダクト２８の先端部が空調室１２の床下空間３０に位置している。床下空間３０には、冷風の流れをコントロールし、コールドアイル１４の風速分布を適正に整える第１導風機構３２（風向板）が設置されている。第１導風機構３２は、床から床下空間３０に向かって垂下している。床下空間３０には、図示はしていないが、サーバラック１３に収容されたそれらサーバから延びる複数本のケーブルやその他のネットワーク機器から延びる複数本のケーブル、それらケーブルを連結する連結治具等の障害物が収納されている。
【００４３】
第１温度センサ１７ａ〜１７ｃは、コールドアイル１４の側に位置するサーバラック１３の頂部２１に設置されて前後方向（一方向）へ等間隔離間して並んでいる。それら第１温度センサ１７ａ〜１７ｃは、サーバラック１３の頂部２１におけるコールドアイル１４の第１温度を計測し、計測した第１温度信号をコントローラ２０に送信する。
【００４４】
第１温度センサ１７ｄ〜１７ｆは、コールドアイル１４の側に位置するサーバラック１３の中間部に設置されて前後方向（一方向）へ等間隔離間して並んでいる。それら第１温度センサ１７ｄ〜１７ｆは、サーバラック１３の中間部におけるコールドアイル１４の第１温度を計測し、計測した第１温度信号をコントローラ２０に送信する。
【００４５】
第１温度センサ１７ｇ〜１７ｉは、コールドアイル１４の側に位置するサーバラック１３の底部３３に設置されて前後方向（一方向）へ等間隔離間して並んでいる。それら第１温度センサ１７ｇ〜１７ｉは、サーバラック１３の底部３３におけるコールドアイル１４の第１温度を計測し、計測した第１温度信号をコントローラ２０に送信する。
【００４６】
それら第１温度センサ１７ａ〜１７ｉでは、温度センサ１７ａの直下に温度センサ１７ｄが位置し、温度センサ１７ｄの直下に温度センサ１７ｇが位置している。温度センサ１７ｂの直下に温度センサ１７ｅが位置し、温度センサ１７ｅの直下に温度センサ１７ｈが位置している。温度センサ１７ｃの直下に温度センサ１７ｆが位置し、温度センサ１７ｆの直下に温度センサ１７ｉが位置している。図１では、前後方向へ３つの温度センサが略等間隔で並んでいるが、空調室１２に据え付けられるサーバラック１３の数によって４つ以上の温度センサが略等間隔で設置される場合もある。
【００４７】
空調システム１０では、図１に示すように、温度センサ１７ａ〜１７ｉのセンシング範囲によってそれらサーバラック１３が位置するコールドアイル１４をコールドエリアＡ〜コールドエリアＦに区分している。たとえば、温度センサ１７ａのセンシング範囲をコールドエリアＡ、温度センサ１７ｂのセンシング範囲をエリアＢ、温度センサ１７ｃのセンシング範囲をエリアＣとし、温度センサ１７ｄ，１７ｇのセンシング範囲をエリアＤ、温度センサ１７ｅ，１７ｈのセンシング範囲をエリアＥ、温度センサ１７ｆ，１７ｉのセンシング範囲をエリアＦとしている。なお、図１では、コールドアイル１４を６つのエリアＡ〜Ｆに区分しているが、エリアの数に特に限定はなく、コールドアイル１４を８つ以上のエリアに区分してもよい。また、コールドアイル１４を区分する基準は図１の例に限定されず、他の基準によってコールドアイル１４を区分することもできる。
【００４８】
第２温度センサ１８は、サーバラック１３が存在しないコールドアイル１４に設置されている。第２温度センサ１８は、サーバラック１３が非存在のコールドアイル１４の第２温度を計測し、計測した第２温度信号をコントローラ２０に送信する。サーバラック１３が存在するコールドアイル１４に第２温度センサ１８が設置される場合もあり、この場合は、そのサーバラック１３にサーバ（その他のネットワーク機器を含む）が設置されていない必要がある。
【００４９】
温度センサ１７ａ〜１７ｉのうちの温度センサ１７ａが計測した第１温度が設定温度を超過した場合、コントローラ２０は、エリアＡにおいて熱溜まりが発生したと判断する。温度センサ１７ａ〜１７ｉのうちの温度センサ１７ａ，１７ｂ，１７ｃが計測した第１温度が設定温度を超過した場合、コントローラ２０は、エリアＡ，エリアＢ，エリアＣにおいて熱溜まりが発生したと判断する。温度センサ１７ａ〜１７ｉのうちの温度センサ１７ｄ，１７ｇが計測した第１温度が設定温度を超過した場合、コントローラ２０は、エリアＤにおいて熱溜まりが発生したと判断する。また、温度センサ１７ａ〜１７ｉのうちの温度センサ１７ｅ，１７ｈ，１７ｆ，１７ｉが計測した第１温度が設定温度を超過した場合、コントローラ２０は、エリアＥ，エリアＦにおいて熱溜まりが発生したと判断する。
【００５０】
第１〜第３吹出ユニット１９ａ〜１９ｃは、コールドアイル１４の天井５１の下方（直下）とサーバラック１３の頂部２１の上方との間に位置し、コールドアイル１４の一方の端部の側から他方の端部の側に向かって前後方向（一方向）へ冷風を給気する。第１〜第３吹出ユニット１９ａ〜１９ｃは、図４に示すように、第１給気ダクト２７の先端部に連結された給気チャンバ３４と、給気チャンバ３４に連結されてチャンバ３４から前方へ延びる第１〜第３分岐ダクト３５ａ〜３５ｃと、第１〜第３分岐ダクト３５ａ〜３５ｃに設置された第１〜第３風速調節ダンパ３６ａ〜３６ｃ（第１〜第ｎ風速調節機構）と、それら分岐ダクト３５ａ〜３５ｃに連結された吹出ハウジング３７とから形成されている。
【００５１】
第１〜第３分岐ダクト３５ａ〜３５ｃは、上方から下方に向かって第１分岐ダクト３５ａ、第２分岐ダクト３５ｂ、第３分岐ダクト３５ｃの順で並んでいる。第１分岐ダクト３５ａには、第１風速調節ダンパ３６ａが設置され、第２分岐ダクト３５ｂには、第２風速調節ダンパ３６ｂが設置されているとともに、第３分岐ダクト３５ｃには、第３風速調節ダンパ３６ｃが設置されている。第１〜第３風速調節ダンパ３６ａ〜３６ｃには、風量調節ダンパ（ＶＤ）が使用されているが、モータダンパを使用することもできる。第１〜第３分岐ダクト３５ａ〜３５ｃでは、第１〜第３風速調節ダンパ３６ａ〜３６ｃの開度（風速調節ダンパ３６ａ〜３６ｃの旋回羽根の旋回角度）を調節することによってそれらダクト３５ａ〜３５ｃを通る冷風の風速（風量）が調節される。
【００５２】
吹出ハウジング３７は、前後壁と頂底壁と両側壁とを有し、それら壁に囲繞された内部空間３８を有する。吹出ハウジング３７は、空調室１２と機械室２３とを仕切る側壁に固定されている。後壁には、第１〜第３空気流入口３９ａ〜３９ｃ（空気流入口）が作られている。それら空気流入口３９ａ〜３９ｃは、上方から下方に向かってコールドアイル１４の天井５１近傍に位置する第１空気流入口３９ａ、第１空気流入口３９ａの直下に位置する第２空気流入口３９ｂ、第２空気流入口３９ｂの直下に位置する第３空気流入口３９ｃの順で並んでいる。
【００５３】
第１空気流入口３９ａには、第１分岐ダクト３５ａが連結され、第２空気流入口３９ｂには、第２分岐ダクト３５ｂが連結されているとともに、第３空気流入口３９ｃには、第３分岐ダクト３５ｃが連結されている。前壁には、第１〜第３空気吹出口４０ａ〜４０ｃ（第１〜第ｎ空気吹出口）が作られている。それら空気吹出口４０ａ〜４０ｃは、上方から下方に向かってコールドアイル１４の天井５１近傍に位置する第１空気吹出口４０ａ、第１空気吹出口４０ａの直下に位置する第２空気吹出口４０ｂ、第２空気吹出口４０ｂの直下に位置する第３空気吹出口４０ｃの順で並んでいる。
【００５４】
吹出ハウジング３７の内部空間３８には、仕切板４１が設置されている。吹出ハウジング３７の内部空間３８は、それら仕切板４１によって第１〜第３空気流路４２ａ〜４２ｃ（第１〜第ｎ空気流路）が作られている。それら空気流路４２ａ〜４２ｃは、上方から下方に向かって第１空気流路４２ａ、第２空気流路４２ｂ、第３空気流路４２ｃの順で並んでいる。第１空気流路４２ａは、第１空気流入口３９ａと第１空気吹出口４０ａとの間に延びている。第２空気流路４２ｂは、第２空気流入口３９ｂと第２空気吹出口４０ｂとの間に延びている。第３空気流路４２ｃは、第３空気流入口３９ｃと第３空気吹出口４０ｃとの間に延びている。
【００５５】
吹出ユニット１９ａ〜１９ｃでは、第１〜第３風速調節ダンパ３６ａ〜３６ｃの開度を調節することで、第１〜第３空気吹出口４０ａ〜４０ｃから給気される冷風の速度を調節し、それら吹出口４０ａ〜４０ｃから給気される冷風のコールドアイル１４における前方への到達距離を変更する。
【００５６】
天井５１には、その所定の箇所に第２導風機構４６ａ〜４６ｃ（導風機構）が設置されている。なお、導風機構の設置箇所は、任意に決定することができる。また、図１では天井５１に３個の導風機構４６ａ〜４６ｃが設置されているが、導風機構の個数について特に限定はなく、サーバラック１３の前後方向への長さによって４個以上の導風機構が設置される場合もある。
【００５７】
第２導風機構４６ａ〜４６ｃは、図５，６に示すように、コールドアイル１４の天井５１に旋回可能に設置され、その使用時に天井５１から垂下する。図５，６に示す導風機構４６ａ〜４６ｃは、上下方向へ延びる風向板４７（遮蔽板）と、上下方向へ延びていて風向板４７を摺動可能に支持する支持枠４８（支持部材）とから形成されている。それら導風機構４６ａ〜４６ｃでは、風向板４７を支持枠４８に挿脱可能に挿入する。導風機構４６ａ〜４６ｃは、吹出ユニット１９ａ〜１９ｃから給気された冷風が風向板４７に当たることで、冷風を熱溜まりに誘導する。
【００５８】
第２導風機構４６ａ〜４６ｃには、図示はしていないが、自動開閉装置が設置されている。自動開閉装置は、信号線によってコントローラ２０に接続されている。図５に示すように、自動開閉装置によって導風機構４６ａ〜４６ｃを天井５１に対して上下方向へ自動的に旋回させることができる。導風機構４６ａ〜４６ｃを天井５１から下方へ旋回させることで、導風機構４６ａ〜４６ｃが天井５１から垂下し、垂下した状態から導風機構４６ａ〜４６ｃを上方へ旋回させることで、導風機構４６ａ〜４６ｃが天井５１に収納される。なお、導風機構４６ａ〜４６ｃに自動開閉装置が設置されていない場合は、導風機構４６ａ〜４６ｃを手動で旋回させる。
【００５９】
コントローラ２０は、中央処理部（ＣＰＵまたはＭＰＵ）とメモリ（メインメモリおよびキャッシュメモリ）とを有するコンピュータであり、記憶デバイスが内蔵されている。コントローラ２０には、テンキーユニット（図示せず）やディスプレイ（図示せず）等の入出力装置がインターフェイスを介して接続されている。コントローラ２０の中央処理部は、オペレーティングシステムによる制御に基づいて、メモリからアプリケーションを起動し、起動したアプリケーションに従って、後記する各空調運転を実施する。
【００６０】
コントローラ２０には、送風ファン２６の制御部が信号線または無線によって電気的に接続され、第１および第２モータダンパ２９，３１の制御部が信号線または無線によって電気的に接続されているとともに、第１および第２温度センサ１７ａ〜１７ｉ，１８が信号線または無線によって電気的に接続されている。さらに、導風機構４６ａ〜４６ｃの自動開閉装置が信号線または無線によって電気的に接続されている。
【００６１】
コントローラ２０の記憶デバイスには、後記する通常モードの空調運転において、第２給気ダクト２８から給気する冷風の給気割合に対する第２モータダンパ３１の開度情報が格納され、第２給気ダクト２８から給気する冷風の給気割合に対する送風ファン２６の送風能力情報（出力情報）が格納されている。
【００６２】
コントローラ２０の記憶デバイスには、後記する通常モードの空調運転や熱溜まり解消モードの空調運転における空調パターンテーブル（図１０参照）が格納されている。
【００６３】
なお、図３に示すように、隣接する空調機１６ａ，１６ｂどうしがバイパスダクト４３によって連結され、隣接する空調機１６ｂ，１６ｃどうしがバイパスダクト４３によって連結され、空調システム１０が冗長化されている。バイパスダクト４３には、バイパスダンパ４４が設置されている。通常の空調運転時では、バイパスダンパ４４の空気流路が閉鎖（開度が０）されている。空調システム１０では、たとえば、空調機１６ｃが何らかの原因で故障した場合、バイパスダンパ４４を開放（全開）し、空調機１６ａや空調機１６ｂから空調機１６ｃの冷風の不足分を補うことができ、システム１０の不用意な停止を防ぐことができるとともに、システム１０を停止させることなく故障した空調機１６ｃを修理することができる。
【００６４】
図７は、コールドアイル１４に熱溜まりが発生していない場合の空調システム１０の通常モードの空調運転を説明する図１と同様の側面図であり、図８は、コールドアイル１４に熱溜まりが発生していない場合の空調システム１０の通常モードの空調運転を説明する図２と同様の正面図である。図９は、空調システム１０において実施される各空調運転を説明するフローチャートである。図７では、コントローラ２０の図示を省略している。
【００６５】
データセンター１１では、サーバラック１３に収容された複数台のサーバの稼働によってそれらサーバが自己発熱し、それらサーバの温度が上昇する。サーバの温度上昇をそのまま放置すると、サーバが故障する場合があり、データセンター１１の運用に支障が生じる。したがって、空調機１６ａ〜１６ｃから冷風を給気してそれらサーバを冷却する必要がある。
【００６６】
コールドアイル１４に熱溜まりが発生していない状況では、通常モードの空調運転が実施され（Ｓ−１０）、それによってサーバが冷却される。通常モードの空調運転では、熱溜まりを解消する必要はなく、第１モータダンパ２９が閉鎖（全閉）され、空調機１６ａ〜１６ｃから吹出ユニット１９ａ〜１９ｃに冷風は給気されない。
【００６７】
通常モードの空調運転では、第２モータダンパ３１の空気流路が開放され、床下空間３０に対して冷風を給気するため、送風ファン２６が稼働し、空調機１６ａ〜１６ｃによって所定温度に冷却された冷風（冷却空気）が第２給気ダクト２８を通り、空調室１２の床下空間３０に給気される。
【００６８】
冷風は、図７に矢印で示すように、床下空間３０を通って冷風吹出開口パネルからコールドアイル１４に流入する。コールドアイル１４に流入した冷風は、図８に矢印で示すように、サーバラック１３の側方からラックに流入し、ラックを通流しつつラックに収容されたサーバを冷却する。サーバを冷却した冷風はサーバの熱を吸収して温風に変わり、その温風がサーバラック１３の側方から流出してホットアイル１５に流入する。ホットアイル１５に流入した温風は、温風吸込開口を通って空調室１２の天井空間４５に流入した後、天井空間４５を通って空調室１２から機械室２３に流入し、再び空調機１６ａ〜１６ｃに還流する。なお、温風の一部は外気に放出され、残余の温風と外気との混合気が空調機に流入する。空調機１６ａ〜１６ｃに流入した空気（混合気）は、空調機１６ａ〜１６ｃによって冷却されて冷風となり、再び床下空間３０からコールドアイル１４に給気される。
【００６９】
通常モードの空調運転においてコントローラ２０は、第１温度センサ１７ａ〜１７ｉや第２温度センサ１８が計測した第１および第２温度と設定温度との比較による温度一定制御を行い、第２モータダンパ３１の開度を微調節し、送風ファン２６の出力（送風能力）を微調節し、サーバラック１３に収容されたサーバを冷却するのに必要最小限の冷風をコールドアイル１４に給気する。第１および第２温度とサーバを冷却するのに必要最小限の冷風の風量との相関情報がコントローラ２０の記憶デバイスに格納され、必要最小限の冷風の風量に対応する第２モータダンパ３１の開度値（旋回羽根の旋回角度）がコントローラ２０の記憶デバイスに格納されているとともに、必要最小限の冷風の風量に対応する送風ファン２６の出力の値がコントローラ２０の記憶デバイスに格納されている。
【００７０】
コントローラ２０は、第１および第２温度センサ１７ａ〜１７ｉ，１８から送信された第１および第２温度によって、サーバを冷却するのに必要最小限の冷風の風量を割り出し、割り出した風量を維持するための開度変更信号を第２モータダンパ３１の制御部に送信する。第２モータダンパ３１の制御部は、コントローラ２０からの開度変更信号にしたがってモータダンパ３１の開度を変更し、その開度を維持する。また、コントローラ２０は、割り出した必要最小限の風量を維持するための出力変更信号を送風ファン２６の制御部に送信する。送風ファン２６の制御部は、出力変更信号にしたがって送風ファン２６の出力をインバータ制御し、その出力を維持する。なお、通常モードの空調運転においてコントローラ２０は、必要最小限の冷風の風量を維持するために第２モータダンパ３１の開度と送風ファン２６の出力との少なくとも一方を調節する。
【００７１】
図１０は、コントローラ２０の記憶デバイスに格納された熱溜まり解消モードの空調運転における空調パターンテーブルの一例を示す図であり、図１１は、コールドアイル１４のエリアＣに熱溜まり４９が発生した場合の熱溜まり解消モードの空調運転の一例を説明する図１と同様の側面図である。図１０の空調パターンテーブルでは、エリアＡ〜Ｆの組み合わせエリアに対するプリセット運転条件を定義した空調パターンが（１）〜（７２０）通り（熱溜まりなしを含めると（１）〜（７２１）通り）あるが、それらすべての組み合わせエリアの図示を省略し、一部の組み合わせエリアのみを図示している。図１１では、コントローラ２０の図示を省略している。
【００７２】
図１０の空調パターンテーブルに定義されたプリセット情報には、各コールドエリアＡ〜ＦやそれらエリアＡ〜Ｆの組み合わせエリア、エリアＡ〜Ｆや組み合わせエリアに熱溜まりが発生した場合のエリアＡ〜Ｆや組み合わせエリアに対応する送風ファン２６の出力（％）、エリアＡ〜Ｆや組み合わせエリアに熱溜まりが発生した場合のエリアＡ〜Ｆや組み合わせエリアに対応する送風ファン２６の出力（％）が定義され、エリアＡ〜Ｆや組み合わせエリアに熱溜まりが発生した場合のエリアＡ〜Ｆや組み合わせエリアに対応する第１モータダンパ２９の開度（％）、エリアＡ〜Ｆや組み合わせエリアに熱溜まりが発生した場合のエリアＡ〜Ｆや組み合わせエリアに対応する第２モータダンパ３１の開度（％）が定義されている。さらに、エリアＡ〜Ｆや組み合わせエリアの第１導風機構３２のＯＮ／ＯＦＦ、エリアＡ〜Ｆや組み合わせエリアの第２導風機構４６ａ〜４６ｃのＯＮ／ＯＦＦ、エリアＡ〜Ｆや組み合わせエリアに熱溜まりが発生した場合に使用する第２導風機構４６ａ〜４６ｃの使用位置、エリアＡ〜Ｆや組み合わせエリアに熱溜まりが発生した場合のエリアＡ〜Ｆや組み合わせエリアに対応する吹出ユニット１９ａ〜１９ｃの第１〜第３空気吹出口４０ａ〜４０ｃの風速比が定義されている。
【００７３】
エリアＡ〜Ｆや組み合わせエリアに熱溜まりが発生した場合は、第２導風機構４６ａ〜４６ｃを使用せずに吹出ユニット１９ａ〜１９ｃからの冷風の給気によって熱溜まりを解消する他、導風機構４６ａ〜４６ｃのうちの少なくとも１つがＯＮ（天井５１から垂下）になる。なお、熱溜まりが発生していない場合は導風機構４６ａ〜４６ｃがＯＦＦ（天井５１に収納）である。空調パターンテーブルの導風機構４６ａ〜４６ｃの使用位置（１）〜（３）のうち、（１）は導風機構４６ｃを示し、（１）のみが表示されている場合は導風機構４６ｃのみがＯＮになる。（２）は導風機構４６ｂを示し、（２）のみが表示されている場合は導風機構４６ｂのみがＯＮになる。（３）は導風機構４６ｃを示し、（３）のみが表示されている場合は導風機構４６ａのみがＯＮになる。（１）および（２）が表示されている場合は導風機構４６ｂ，４６ｃがＯＮになり、（１）〜（３）が表示されている場合は導風機構４６ａ〜４６ｃがＯＮになる。
【００７４】
空調パターンテーブルの第１〜第３空気吹出口４０ａ〜４０ｃの風速比のうち、上・中・下は５：３：１に対応し、上は吹出ユニット１９ａ〜１９ｃの上段の第１空気吹出口４０ａを示し、中は吹出ユニット１９ａ〜１９ｃの中段の第２空気吹出口４０ｂを示すとともに、下は吹出ユニット１９ａ〜１９ｃの下段の第３空気吹出口４０ｃを示す。
【００７５】
図１０の空調パターンテーブルでは、空調機１６ａ〜１６ｃから給気される冷風の全風量を１００％としたときに、床下空間３０に供給する冷風の割合が７０〜９０％の範囲になるとともに、吹出ユニット１９ａ〜１９ｃに供給する冷風の割合が１０〜３０％の範囲になるように、第１および第２モータダンパ２９，３１の開度が決定される。さらに、空調機１６ａ〜１６ｃから給気される冷風の全風量を１００％としたときに、床下空間３０に供給する冷風の割合が７０〜９０％の範囲になるとともに、吹出ユニット１９ａ〜１９ｃに供給する冷風の割合が１０〜３０％の範囲になるように、送風ファン２６の出力（送風能力）が決定される。
【００７６】
サーバの稼働状況によってサーバの自己発熱の温度は異なるが、稼働率が高いサーバはその温度が高くなる傾向にあり、サーバの熱やサーバラック１３からの気流の逆流等の気流の乱れによってその近傍のコールドアイル１４に熱溜まりが発生する場合がある。コールドアイル１４に熱溜まりが発生すると、床下空間３０からコールドアイル１４に給気する冷風だけでは熱溜まり近傍のサーバを十分に冷却することができない。熱溜まり近傍のサーバの温度を下げることができず、そのサーバが高温のまま稼働すると、サーバの故障の原因になり、データセンター１１の運用に支障が生じる。したがって、コールドアイル１４に発生した熱溜まりを解消する必要がある。
【００７７】
コントローラ２０には、通常モードの空調運転中に、第１温度センサ１７ａ〜１７ｉや第２温度センサ１８から第１および第２温度が送信されている。コントローラ２０は、第１温度センサ１７ａ〜１７ｉが計測した各第１温度と設定温度とを比較し、第１温度が設定温度を超過したかを判断する（Ｓ−１１）。第１温度が設定温度を超過していない場合、コントローラ２０は、通常モードの空調運転を継続する（Ｓ−１２）。コントローラ２０は、通常モードの空調運転を継続中に、システム１０における通常モードの空調運転の停止が指令されたかを判断する（Ｓ−１３）。コントローラ２０は、停止が指令されない限り、通常モードの空調運転を継続しつつ、ステップ１１（Ｓ−１１）において第１温度が設定温度を超過したかを監視する。なお、停止が指令された場合、コントローラ２０が通常モードの空調運転を停止し、システム１０が停止する。
【００７８】
ステップ１１（Ｓ−１１）においてコントローラ２０は、第１温度が設定温度を超過したと判断した場合、コールドアイル１４に熱溜まりが発生していると判断し、エリアＡ〜エリアＦのうちの熱溜まりが発生したエリアを特定する（Ｓ−１４）。図１１では、第１温度センサ１７ｃが計測した第１温度が設定温度を超過し、コントローラ２０がコールドアイル１４のエリアＣに熱溜まり４９が発生したと判断する。コールドアイル１４のエリアＣに熱溜まり４９が発生した場合、空調システム１０において通常モードの空調運転を中断し、熱溜まり解消モードの空調運転が実施される。
【００７９】
エリアＣに熱溜まり４９が発生したと判断すると、コントローラ２０は、図１０に示す空調パターンテーブルを参照し、エリア温度条件が一致するパターン（３）を選択し、パターン（３）にプリセットされた運転条件に従って熱溜まり解消モードの空調運転を実施する（Ｓ−１５）。コントローラ２０は、エリアＣに熱溜まり４９が発生した場合における送風ファン２６の出力（５０％）（送風能力）、第１モータダンパ２９の開度（１０％）、第２モータダンパの開度（９０％）、第１導風機構３２のＯＮ／ＯＦＦ（ＯＮ）、第２導風機構４６ａ〜４６ｃのＯＮ／ＯＦＦ（ＯＮ）、第２導風機構４６ａ〜４６ｃの使用位置（３）、吹出ユニット１９ａの風速比「５：３：１」のプリセット運転条件を実施する。
【００８０】
コントローラ２０は、選択した空調パターン（３）のプリセット運転条件により、第１モータダンパ２９の開度（１０％）の開度指示信号をモータダンパ２９の制御部に送信し、第２モータダンパ３１の開度（９０％）の開度指示信号をモータダンパ３１の制御部に送信する。第１モータダンパ２９の制御部は、コントローラ２０からの開度指示信号にしたがって開度を開度指示信号（１０％）のそれに一致させ、その開度を維持する。第２モータダンパ３１の制御部は、コントローラ２０からの開度指示信号にしたがって開度を開度指示信号（９０％）のそれに一致させ、その開度を維持する。
【００８１】
コントローラ２０は、選択した空調パターン（３）のプリセット運転条件により、送風ファン２６の出力（５０％）（送風能力）の出力指示信号を送風ファン２６の制御部に送信する。送風ファン２６の制御部は、コントローラ２０からの出力指示信号（５０％）にしたがって送風ファン２６の出力をインバータ制御し、その出力を維持する。
【００８２】
エリアＣに対する空調パターン（３）の熱溜まり解消モードの空調運転では、第１および第２モータダンパ２９，３１の開度と送風ファン２６の出力とを調節することで、空調機１６ａ〜１６ｃから給気される冷風のすべてを１００％としたときに、床下空間３０に供給する冷風の割合が９０％になり、吹出ユニット１９ａ〜１９ｃに供給する冷風の割合が１０％になる。なお、熱溜まり解消モードの空調運転において、第１および第２モータダンパ２９，３１の開度と送風ファン２６の出力との両者を調節しているが、モータダンパ２９，３１の開度と送風ファン２６の出力とのいずれか一方を調節しつつ、熱溜まり解消モードの空調運転を実施することもできる。
【００８３】
コントローラ２０は、選択した空調パターン（３）のプリセット運転条件により、導風機構の使用位置（３）に設置された導風機構４６ａに開信号（ＯＮ信号）を送信する。導風機構４６ａでは、コントローラ２０から送信された開信号に従ってその自動開閉装置が稼働し、導風機構４６ａが天井５１から下方へ旋回し、天井５１から垂下する。他の導風機構４６ｂ，４６ｃには開信号（ＯＮ信号）が送信されず、それら導風機構４６ｂ，４６ｃが天井５１に収納された状態が維持される。
【００８４】
熱溜まり解消モードの空調運転では、第１モータダンパ２９および第２モータダンパ３１の空気流路が設定開度（１０％、９０％）に開放され、送風ファン２６が設定出力（５０％）で稼働し、第１〜第３空調機１６ａ〜１６ｃによって所定温度に冷却された冷風（冷却空気）が第１給気ダクト２７を通って第１〜第３吹出ユニット１９ａ〜１９ｃに給気されるとともに、第２給気ダクト２８を通って空調室１２の床下空間３０に給気される。床下空間３０に給気された冷風の移動経路は、図７に示す通常モードの空調運転のそれと同一である。
【００８５】
図１１の熱溜まり解消モードの空調運転では、吹出ユニット１９ａの上段の第１空気吹出口４０ａから給気される冷風の風速の比が「５」になるように、第１分岐ダクト３５ａに設置された第１風速調節ダンパ３６ａの開度が調節され、吹出ユニット１９ａの中段の第２空気吹出口４０ｂから給気される冷風の風速の比が「３」になるように、第２分岐ダクト３５ｂに設置された第２風速調節ダンパ３６ｂの開度が調節されるとともに、吹出ユニット１９ａの下段の第３空気吹出口４０ｃから給気される冷風の風速の比が「１」になるように、第３分岐ダクト３５ｃに設置された第３風速調節ダンパ３６ｃの開度が調節される。
【００８６】
吹出ユニット１６ａから給気された冷風は、第１および第２分岐ダクト３５ａ，３５ｂを通って吹出ハウジング３７の第１および第２空気流入口３９ａ，３９ｂに流入した後、第１および第２空気吹出口４０ａ，４０ｂからコールドアイル１４のエリアＣに発生した熱溜まり４９に向かって給気される。第１空気吹出口４０ａおよび第２空気吹出口４０ｂから給気される冷風は、エリアＣに発生した熱溜まり４９に到達する。
【００８７】
冷風は、コアンダ効果によってコールドアイル１４の天井５１に沿ってエリアＣの熱溜まり４９に向かうとともに、コアンダ効果によってコールドアイル１４とホットアイル１５とを仕切るたれ壁２２に沿って熱溜まり４９に向かう。さらに、冷風は、図１１に示すように、導風機構４６ａの風向板４７によって前後方向から下方へ向きを変え、熱溜まり４９に向かって誘導される。吹出ユニット１９ａから給気された冷風がエリアＣの熱溜まり４９に給気されることで、その冷風によって熱溜まり４９が冷却される。
【００８８】
熱溜まり４９を冷却した冷風は熱溜まり４９の熱を吸収しつつサーバの熱を吸収して温風に変わり、その温風がサーバラック１３の側方から流出してホットアイル１５に流入する。ホットアイル１５に流入した温風は、温風吸込開口パネルを通って空調室１２の天井空間４５に流入した後、天井空間４５を通って空調室１２から機械室２３に流入し、再び空調機１６ａに還流する。空調機１６ａに流入した空気（外気との混合気）は、空調機１６ａによって冷却されて冷風となり、再び吹出ユニット１９ａからエリアＣの熱溜まり４９に給気される。
【００８９】
熱溜まり解消モードの空調運転を実施中にコントローラ２０は、温度センサ１７ｃが計測した第１温度が設定温度の範囲内に入り、エリアＣに発生した熱溜まり４９が解消したかを判断する（Ｓ−１６）。ステップ１６（Ｓ−１６）においてコントローラ２０は、熱溜まり４９が解消していないと判断した場合（第１温度が設定温度を超過している場合）、空調パターン（３）の熱溜まり解消モードの空調運転を継続する（Ｓ−１７）。コントローラ２０は、空調パターン（３）の熱溜まり解消モードの空調運転を継続中に、システム１０における熱溜まり解消モードの空調運転の停止が指令されたかを判断する（Ｓ−１８）。コントローラ２０は、停止が指令されない限り、空調パターン（３）の熱溜まり解消モードの空調運転を継続しつつ、ステップ１６（Ｓ−１６）において第１温度が設定温度の範囲内に入ったかを監視する。なお、停止が指令された場合、コントローラ２０が熱溜まり解消モードの空調運転を停止し、システム１０が停止する。
【００９０】
ステップ１６（Ｓ−１６）においてコントローラ２０は、熱溜まり４９が解消した判断した場合（第１温度が設定温度の範囲内に到達した場合）、熱溜まり解消モードの空調運転を中断し、通常モードの空調運転を実施し（Ｓ−１０）、第１温度センサ１７ａ〜１７ｉが計測した第１温度が設定温度を超過したかを判断する（Ｓ−１１）。
【００９１】
図１２は、コールドアイル１４のエリアＡ，Ｂ，Ｃに熱溜まり４９ａ〜４９ｃが発生した場合の熱溜まり解消モードの空調運転の他の一例を説明する図１と同様の側面図であり、図１３は、他の一例として示す導風機構４６ｂの側面図である。図１４は、図１３の導風機構４６ｂの正面図であり、図１５は、他の一例として示す導風機構４６ｃの側面図である。図１６は、図１５の導風機構４６ｃの正面図である。図１２では、コントローラ２０の図示を省略している。
【００９２】
コントローラ２０は、第１温度センサ１７ａ〜１７ｉが計測した各第１温度と設定温度とを比較し、第１温度が設定温度を超過したかを判断する（Ｓ−１１）。第１温度が設定温度を超過していない場合、コントローラ２０は、通常モードの空調運転を継続する（Ｓ−１２）。コントローラ２０は、システム１０における通常モードの空調運転の停止が指令されたかを判断し（Ｓ−１３）、停止が指令されない限り、通常モードの空調運転を継続しつつ、ステップ１１（Ｓ−１１）において第１温度が設定温度を超過したかを監視する。
【００９３】
ステップ１１（Ｓ−１１）においてコントローラ２０は、第１温度が設定温度を超過したと判断した場合、コールドアイル１４に熱溜まりが発生していると判断し、エリアＡ〜エリアＦのうちの熱溜まりが発生したエリアを特定する（Ｓ−１４）。図１２では、第１温度センサ１７ａ，１７ｂ，１７ｃが計測した第１温度が設定温度を超過し、コントローラ２０がコールドアイル１４のエリアＡ，Ｂ，Ｃに熱溜まり４９ａ〜４９ｃが発生したと判断する。
【００９４】
エリアＡ，Ｂ，Ｃに熱溜まり４９ａ〜４９ｃが発生したと判断すると、コントローラ２０は、図１０に示す空調パターンテーブルを参照し、エリア温度条件が一致する空調パターン（１０）を選択し、空調パターン（１０）にプリセットされた運転条件に従って熱溜まり解消モードの空調運転を実施する（Ｓ−１５）。コントローラ２０は、エリアＡ，Ｂ，Ｃに熱溜まり４９ａ〜４９ｃが発生した場合における送風ファン２６の出力（５０％）（送風能力）、第１モータダンパ２９の開度（３０％）、第２モータダンパの開度（７０％）、第１導風機構３２のＯＮ／ＯＦＦ（ＯＮ）、第２導風機構４６ａ〜４６ｃのＯＮ／ＯＦＦ（ＯＮ）、第２導風機構４６ａ〜４６ｃの使用位置（１），（２），（３）、吹出ユニット１９ａの風速の比「５：３：１」のプリセット運転条件を実施する。
【００９５】
コントローラ２０は、選択した空調パターン（１０）のプリセット運転条件により、第１モータダンパ２９の開度（３０％）の開度指示信号をモータダンパ２９の制御部に送信し、第２モータダンパ３１の開度（７０％）の開度指示信号をモータダンパ３１の制御部に送信する。第１モータダンパ２９の制御部は、コントローラ２０からの開度指示信号にしたがって開度を開度指示信号（３０％）のそれに一致させ、その開度を維持する。第２モータダンパ３１の制御部は、コントローラ２０からの開度指示信号にしたがって開度を開度指示信号（７０％）のそれに一致させ、その開度を維持する。
【００９６】
コントローラ２０は、空調パターンテーブルから選択した送風ファン２６の出力（５０％）の出力指示信号を送風ファン２６の制御部に送信する。送風ファン２６の制御部は、コントローラ２０からの出力指示信号（５０％）にしたがって送風ファン２６の出力をインバータ制御し、その出力を維持する。
【００９７】
エリアＡ，Ｂ，Ｃに対する熱溜まり解消モードの空調運転では、第１および第２モータダンパ２９，３１の開度と送風ファン２６の出力とを調節することで、空調機１６ａ〜１６ｃから給気される冷風のすべてを１００％としたときに、床下空間３０に供給する冷風の割合が７０％になり、吹出ユニット１９ａ〜１９ｃに供給する冷風の割合が３０％になる。
【００９８】
コントローラ２０は、選択した空調パターン（１０）のプリセット運転条件により、導風機構の使用位置（１），（２），（３）に設置された導風機構４６ａ〜４６ｃに開信号（ＯＮ信号）を送信する。導風機構４６ａ〜４６ｃでは、コントローラ２０から送信された開信号に従ってその自動開閉装置が稼働し、導風機構４６ａ〜４６ｃが天井５１から下方へ旋回し、天井５１から垂下する。
【００９９】
導風機構４６ｂは、コールドアイル１４の天井５１の（２）の位置に旋回可能に設置され、風向板４７と、風向板４７を上下方向へ摺動可能に支持する支持枠４８（支持部材）とから形成されている。導風機構４６ｂには、信号線によってコントローラ２０に接続された自動開閉装置が設置され、自動開閉装置によって導風機構４６ｂが天井５１に対して上下方向へ自動的に旋回する。導風機構４６ｂでは、風向板４７が支持枠４８の下２／３に位置して支持枠４８の下２／３が閉鎖され、支持枠４８の上１／３が開放され、上１／３に通気口５０が形成されている。導風機構４６ｂでは、図１３に矢印で示すように、支持枠４８の下２／３に位置する風向板４７によって冷風が下方に誘導され、冷風が支持枠４８の上１／３に形成された通気口５０を通って前方へ流動する。
【０１００】
導風機構４６ｃは、コールドアイル１４の天井５１の（１）の位置に旋回可能に設置され、風向板４７と、風向板４７を摺動可能に支持する支持枠４８（支持部材）とから形成されている。導風機構４６ｃには、信号線によってコントローラ２０に接続された自動開閉装置が設置され、自動開閉装置によって導風機構４６ｃが天井５１に対して上下方向へ自動的に旋回する。導風機構４６ｃでは、風向板４７が支持枠４８の下１／３に位置して支持枠４８の下１／３が閉鎖され、支持枠４８の上２／３が開放され、上２／３に通気口５０が形成されている。導風機構４６ｃでは、図１５に矢印で示すように、支持枠４８の下１／３に位置する風向板４７によって冷風が下方に誘導され、冷風が支持枠４８の上２／３に形成された通気口５０を通って前方へ流動する。
【０１０１】
なお、風向板４７の上下方向の長さを調節することにより、導風機構４６ａ〜４６ｃのサーバラック１３の頂部２１から上方への延出寸法（閉鎖寸法）を調節可能であり、導風機構４６ａ〜４６ｃの通気口５０の天井５１から下方への延出寸法（開放寸法）を調節可能である。また、風向板４７の上下方向の長さを調節することにより、導風機構４６ａ〜４６ｃの天井５１から下方への延出寸法（閉鎖寸法）を調節可能であり、導風機構４６ａ〜４６ｃの通気口５０のサーバラック１３の頂部２１から上方への延出寸法（開放寸法）を調節可能である。
【０１０２】
熱溜まり解消モードの空調運転では、第１モータダンパ２９および第２モータダンパ３１の空気流路が設定開度（３０％、７０％）に開放され、送風ファン２６が設定出力（５０％、５０％）で稼働し、第１〜第３空調機１６ａ〜１６ｃによって所定温度に冷却された冷風（冷却空気）が第１給気ダクト２７を通って第１〜第３吹出ユニット１９ａ〜１９ｃに給気されるとともに、第２給気ダクト２８を通って空調室１２の床下空間３０に給気される。床下空間３０に給気された冷風の移動経路は、図７に示す通常モードの空調運転のそれと同一である。
【０１０３】
図１２の熱溜まり解消モードの空調運転では、第１空気吹出口４０ａから給気される冷風の風速の比が「５」、第２空気吹出口４０ｂから給気される冷風の風速の比が「３」、第３空気吹出口４０ｃから給気される冷風の風速の比が「１」になるように、第１および第３風速調節ダンパ３６ａ〜３６ｃの開度が調節される。
【０１０４】
吹出ユニット１９ａの第１空気吹出口４０ａから前方へ給気された冷風は、導風機構４６ｃの通気孔５０を通過するとともに、導風機構４６ｂの通気孔５０を通過する。第１空気吹出口４０ａから給気された冷風は、コアンダ効果によってコールドアイル１４の天井５１に沿ってエリアＣに発生した熱溜まり４９ａに向かうとともに、コアンダ効果によってコールドアイル１４とホットアイル１５とを仕切るたれ壁２２に沿って熱溜まり４９ａに向かい、熱溜まり４９ａに到達する。第１空気吹出口４０ａから給気された冷風がエリアＣの熱溜まり４９ａに給気されることで、その冷風によって熱溜まり４９ａが冷却される。
【０１０５】
吹出ユニット１９ａの第２空気吹出口４０ｂから前方へ給気された冷風は、導風機構４６ｃの通気孔５０を通過し、コールドアイル１４のエリアＢ，Ｃに発生した熱溜まり４９ａ，４９ｂに向かうとともに、コールドアイル１４とホットアイル１５とを仕切るたれ壁２２に沿って熱溜まり４９ａ，４９ｂに向かい、導風機構４６ｂの風向板４７によって前後方向から下方へ向きを変え、熱溜まり４９ｂに向かって誘導され、熱溜まり４９ｂに到達する。第２空気吹出口４０ｂから給気された冷風がエリアＢの熱溜まり４９ｂに給気されることで、その冷風によって熱溜まり４９ｂが冷却される。
【０１０６】
吹出ユニット１９ａの第３空気吹出口４０ｃから前方へ給気された冷風は、コールドアイル１４の天井５１に沿ってエリアＡに発生した熱溜まり４９ｃに向かうとともに、コールドアイル１４とホットアイル１５とを仕切るたれ壁２２に沿って熱溜まり４９ｃに向かい、導風機構４６ｃの風向板４７によって前後方向から下方へ向きを変え、熱溜まり４９ｃに向かって誘導され、熱溜まり４９ｃに到達する。第３空気吹出口４０ｃから給気された冷風がエリアＡの熱溜まり４９ｃに給気されることで、その冷風によって熱溜まり４９ｃが冷却される。
【０１０７】
熱溜まり４９ａ〜４９ｃを冷却した冷風は熱溜まり４９ａ〜４９ｃの熱を吸収しつつサーバの熱を吸収して温風に変わり、その温風がサーバラック１３の側方から流出してホットアイル１５に流入する。ホットアイル１５に流入した温風は、温風吸込開口を通って空調室１２の天井空間４５に流入した後、天井空間４５を通って空調室１２から機械室２３に流入し、再び空調機１６ａに還流する。空調機１６ａに流入した空気（外気との混合気）は、空調機１６ａによって冷却されて冷風となり、再び吹出ユニット１９ａからエリアＡ，Ｂ，Ｃの熱溜まり４９ａ〜４９ｃに給気される。
【０１０８】
熱溜まり解消モードの空調運転を実施中にコントローラ２０は、温度センサ１７ａ〜１７ｃが計測した第１温度が設定温度の範囲内に入り、エリアＡ，Ｂ，Ｃに発生した熱溜まり４９ａ〜４９ｃが解消したかを判断する（Ｓ−１６）。ステップ１６（Ｓ−１６）においてコントローラ２０は、熱溜まり４９ａ〜４９ｃが解消していないと判断した場合（第１温度が設定温度を超過している場合）、パターン（１０）の熱溜まり解消モードの空調運転を継続する（Ｓ−１７）。コントローラ２０は、熱溜まり解消モードの空調運転を継続中に、システム１０における熱溜まり解消モードの空調運転の停止が指令されたかを判断し（Ｓ−１８）、停止が指令されない限り、パターン（１０）の熱溜まり解消モードの空調運転を継続しつつ、ステップ１６（Ｓ−１６）において第１温度が設定温度の範囲内に入ったかを監視する。
【０１０９】
ステップ１６（Ｓ−１６）においてコントローラ２０は、熱溜まり４９ａ〜４９ｃが解消した判断した場合（第１温度が設定温度の範囲内に入った場合）、パターン（１０）の熱溜まり解消モードの空調運転を中断し、通常モードの空調運転を実施し（Ｓ−１０）、第１温度センサ１７ａ〜１７ｉが計測した第１温度が設定温度を超過したかを判断する（Ｓ−１１）。
【０１１０】
なお、エリアＣのみの熱溜まり４９ｃが解消された場合、コントローラ２０は、エリア温度条件が一致する空調パターン（７）に従ってエリアＡ，Ｂに対する熱溜まり解消モードの空調運転を実施し（Ｓ−１５）、エリアＢ，Ｃの熱溜まり４９ｂ，４９ｃが解消された場合、コントローラ２０は、エリア温度条件が一致する空調パターン（１）に従ってエリアＡに対する熱溜まり解消モードの空調運転を実施する（Ｓ−１５）。エリアＡのみの熱溜まり４９ａが解消された場合、コントローラ２０は、エリア温度条件が一致する空調パターン（９）に従ってエリアＢ，Ｃに対する熱溜まり解消モードの空調運転を実施し（Ｓ−１５）、エリアＡ，Ｃの熱溜まり４９ｂ，４９ｃが解消された場合、コントローラ２０は、エリア温度条件が一致する空調パターン（２）に従ってエリアＢに対する熱溜まり解消モードの空調運転を実施する（Ｓ−１５）。
【０１１１】
情報処理機器室用空調システム１０は、床下空間３０からコールドアイル１４に冷風を給気中に、コールドアイル１４の所定の箇所に発生した熱溜まりに向かって吹出ユニット１９ａ〜１９ｃから冷風を給気するから、コールドアイル１４の熱溜まりに向かって冷風を給気することができ、熱溜まりを選択的に冷却することができるとともに、熱溜まりを解消することができる。空調システム１０は、コールドアイル１４の熱溜まりを解消することができるから、サーバラック１３に収容された熱溜まり近傍のサーバが冷却され、サーバの温度上昇を防ぐことができ、温度上昇にともなうサーバの故障を防ぐことができる。
【０１１２】
情報処理機器室用空調システム１０は、空調機１６ａ〜１６ｃに接続された吹出ユニット１９ａ〜１９ｃから熱溜まりに冷風を給気し、それによって熱溜まりを冷却するから、前記特許文献１に開示の空調システムのように空調機の他に複数台の局所冷却装置を設置する必要はなく、サーバの冷却に使用するエネルギーを少なくすることができ、システム１０における省エネルギー化を図ることができる。空調システム１０は、第１温度が設定温度を超過した場合、その第１温度を計測した第１温度センサ１７ａ〜１７ｉ近傍のコールドアイル１４のエリアＡ〜Ｆに熱溜まりが発生していると判断するから、それら第１温度センサ１７ａ〜１７ｉを利用してコールドアイル１４の所定の箇所（エリアＡ〜Ｆ）に発生した熱溜まりを的確に検出することができる。
【０１１３】
図１７は、他の一例として示す導風機構４６ｄ，４６ｅ（第２導風機構）を設置したデータセンター１１の空調室１２の上面図であり、図１８は、図１７に使用されている導風機構４６ｄの正面図である。空調室１２のコールドアイル１４には、前後方向へ離間する２つの導風機構４６ｄ，４６ｅが設置されている。導風機構４６ｄ，４６ｅは、風向板４７と、風向板４７を上下方向へ摺動可能に支持する支持枠４８（支持部材）とから形成されている。
【０１１４】
導風機構４６ｄは、横方向の一方の側の第１スペース５１ａに風向板４７が位置し、第１スペース５１ａが閉鎖され、横方向の他方の側の第２スペース５１ｂに風向板４７が存在せず、第２スペース５１ｂが開放され、通気口５０が形成されている。導風機構４６ｅは、横方向の他方の側の第２スペース５１ｂに風向板４７が位置して第２スペース５１ｂが閉鎖され、横方向の一方の側の第１スペース５１ａに風向板４７が存在せず、第１スペース５１ａが開放され、通気口５０が形成されている。それら導風機構４６ｄ，４６ｅには、自動開閉装置が設置されている。
【０１１５】
それら導風機構４６ｄ，４６ｅを使用した情報処理機器室用空調システム１０では、一方のサーバラック１３の側の側部に偏って熱溜まり４９ｄが発生した場合、吹出ユニット１９ａ〜１９ｃから給気された冷風が導風機構４６ｄの風向板４７に当たり、冷風がその熱溜まり４９ｄに誘導される。さらに、熱溜まり４９ｄの前方であって他方のサーバラック１３の側の側部に偏って熱溜まり４９ｅが発生した場合、吹出ユニット１９ａ〜１９ｃから給気された冷風が導風機構４６ｄの通気口５０を通って導風機構４６ｅに向かい、冷風が導風機構４６ｅの風向板４７に当たり、冷風がその熱溜まり４９ｅに誘導される。
【０１１６】
導風機構４６ｄ，４６ｅを使用した情報処理機器室用空調システム１０は、熱溜まり４９ｄがコールドアイル１４の一方の側部の側に発生した場合、その熱溜まり４９ｄの位置に設置された導風機構４６ｄの一方の導風機能をＯＮにすることで、その熱溜まり４９ｄに冷風を誘導することができ、導風機構４６ｄの他方の導風機能をＯＦＦにすることで、その熱溜まり４９ｄから遠方に発生した熱溜まり４９ｅに冷風を給気することができる。空調システム１０は、熱溜まり４９ｄ，４９ｅがコールドアイル１４の側部の側に偏って発生したとしても、導風機構４６ｄ，４６ｅを利用してその熱溜まり４９ｄ，４９ｅに冷風を誘導することができ、熱溜まり４９ｄ，４９ｅを冷却してその熱溜まり４９ｄ，４９ｅを解消することができる。
【０１１７】
図１９は、他の一例として示す導風機構４６ｆ（第２導風機構）の正面図である。この導風機構４６ｆは、横方向の一方の側の第１スペース５１ａおよび横方向の他方の側の第２スペース５１ｂに位置する風向板４７と、それら風向板４７を上下方向へ摺動可能に支持する支持枠４８（支持部材）とから形成されている。第１スペース５１ａでは、風向板４７が支持枠４８の下２／３に位置して支持枠４８の下２／３が閉鎖され、支持枠４８の上１／３が開放され、上１／３に通気口５０が形成されている。第２スペース５１ｂでは、風向板４７が支持枠４８の下１／３に位置して支持枠４８の下１／３が閉鎖され、支持枠４８の上２／３が開放され、上２／３に通気口５０が形成されている。なお、風向板４７の上下方向の寸法や通気口５０の上下方向の寸法に特に限定はなく、熱溜まりの発生箇所と熱溜まりの温度との少なくとも一方に応じて風向板４７や通気口５０の寸法を自由に調節することができる。
【０１１８】
熱溜まり解消モードの空調運転において導風機構４６ｆを使用した場合、コールドアイル１４のエリアの一方の側部に温度が高い熱溜まりが発生し、エリアの他方の側部に一方の側部よりも温度が低い熱溜まりが発生した場合、吹出ユニット１９ａ〜１９ｃの第２および第３空気吹出口４０ｂ，４０ｃから給気された冷風が第１スペース５１ａにおいて支持枠４８の下２／３を閉鎖する風向板４７に当たり、その冷風がエリアの一方の側部の熱溜まりに誘導され、温度が高い一方の側部の熱溜まりが冷却される。さらに、吹出ユニット１９ａ〜１９ｃの第３空気吹出口４０ｃから給気された冷風が第２スペース５１ｂにおいて支持枠４８の下１／３を閉鎖する風向板４７に当たり、その冷風がエリアの他方の側部の熱溜まりに誘導され、温度が低い他方の側部の熱溜まりが冷却される。
【０１１９】
また、吹出ユニット１９ａ〜１９ｃの第１空気吹出口４０ａから給気された冷風が第１スペース５１ａにおける支持枠４８の上１／３に形成された通気口５０を通過し、手前の熱溜まりよりも前方に発生した熱溜まりにその冷風が給気され、その熱溜まりが冷却される。さらに、吹出ユニット１９ａ〜１９ｃの第１および第２空気吹出口４０ａ，４０ｂから給気された冷風が第２スペース５１ｂにおける支持枠４８の上２／３に形成された通気口５０を通過し、手前の熱溜まりよりも前方に発生した熱溜まりにその冷風が給気され、その熱溜まりが冷却される。
【０１２０】
導風機構４６ｆは、それを使用することで、冷風をコールドアイル１４のエリアの一方の側部の熱溜まりに給気するとともに、冷風をエリアの他方の側部の熱溜まりに給気することで、温度が高い一方の側部の熱溜まりと温度が低い他方の側部の熱溜まりとを同時に解消することができる。さらに、前後方向に発生した複数の熱溜まり冷風を給気することができ、前後方向に発生した複数の熱溜まりを同時に解消することができる。
【０１２１】
図２０は、他の一例として示す導風機構４６ｇ（第２導風機構）の正面図である。この導風機構４６ｇは、横方向の一方の側の第１スペース５１ａおよび横方向の他方の側の第２スペース５１ｂに位置する風向板４７と、それら風向板４７を上下方向へ摺動可能に支持する支持枠４８（支持部材）とから形成されている。第１スペース５１ａでは、風向板４７が支持枠４８の上１／３に位置して支持枠４８の上１／３が閉鎖され、支持枠４８の下２／３が開放され、下２／３に通気口５０が形成されている。第２スペース５１ｂでは、風向板４７が支持枠４８の上２／３に位置して支持枠４８の上２／３が閉鎖され、支持枠４８の下１／３が開放され、下１／３に通気口５０が形成されている。なお、風向板４７の上下方向の寸法や通気口５０の上下方向の寸法に特に限定はなく、熱溜まりの発生箇所と熱溜まりの温度との少なくとも一方に応じて風向板４７や通気口５０の寸法を自由に調節することができる。
【０１２２】
熱溜まり解消モードの空調運転において導風機構４６ｇを使用した場合、コールドアイル１４のエリアの一方の側部に温度が低い熱溜まりが発生し、エリアの他方の側部に一方の側部よりも温度が高い熱溜まりが発生した場合、吹出ユニット１９ａ〜１９ｃの第１空気吹出口４０ａから給気された冷風が第１スペース５１ａにおいて支持枠４８の上１／３を閉鎖する風向板４７に当たり、その冷風がエリアの一方の側部の熱溜まりに誘導され、温度が低い一方の側部の熱溜まりが冷却される。さらに、吹出ユニット１９ａ〜１９ｃの第１および２空気吹出口４０ａ，２０ｂから給気された冷風が第２スペース５１ｂにおいて支持枠４８の上２／３を閉鎖する風向板４７に当たり、その冷風がエリアの他方の側部の熱溜まりに誘導され、温度が高い他方の側部の熱溜まりが冷却される。
【０１２３】
導風機構４６ｇは、それを使用することで、冷風をコールドアイル１４のエリアの一方の側部の熱溜まりに給気するとともに、冷風をエリアの他方の側部の熱溜まりに給気することで、温度が低い一方の側部の熱溜まりと温度が高い他方の側部の熱溜まりとを同時に解消することができる。
【図面の簡単な説明】
【０１２４】
【図１】一例として示す情報処理機器室用空調システムを設置したデータセンターの空調室および機械室の側面図。
【図２】情報処理機器室用空調システムを設置した空調室の正面図。
【図３】情報処理機器室用空調システムを設置したデータセンターの空調室および機械室の上面図。
【図４】一例として示す吹出ユニットの側面図。
【図５】一例として示す導風機構の側面図。
【図６】図５の導風機構の正面図。
【図７】コールドアイルに熱溜まりが発生していない場合の空調システムの通常モードの空調運転を説明する図１と同様の側面図。
【図８】コールドアイルに熱溜まりが発生していない場合の空調システムの通常モードの空調運転を説明する図２と同様の正面図。
【図９】空調システムにおいて実施される各空調運転を説明するフローチャート。
【図１０】コントローラの記憶デバイスに格納された熱溜まり解消モードの空調運転における空調パターンテーブルの一例を示す図。
【図１１】コールドアイルのエリアに熱溜まりが発生した場合の熱溜まり解消モードの空調運転の一例を説明する図１と同様の側面図。
【図１２】コールドアイルのエリアに熱溜まりが発生した場合の熱溜まり解消モードの空調運転の他の一例を説明する図１と同様の側面図。
【図１３】他の一例として示す導風機構の側面図。
【図１４】図１３の導風機構の正面図。
【図１５】他の一例として示す導風機構の側面図。
【図１６】図１５の導風機構の正面図。
【図１７】他の一例として示す導風機構を設置したデータセンターの機械室の上面図。
【図１８】図１７に使用されている導風機構の正面図。
【図１９】他の一例として示す導風機構の正面図。
【図２０】他の一例として示す導風機構の正面図。
【符号の説明】
【０１２５】
１０    情報処理機器室空調システム
１１    データセンター
１２    空調室（情報処理機器室）
１３    サーバラック
１４    コールドアイル
１５    ホットアイル
１６ａ〜１６ｃ  空調機
１７ａ〜１７ｉ  第１温度センサ
１８    第２温度センサ
１９ａ  第１吹出ユニット
１９ｂ  第２吹出ユニット
１９ｃ  第３吹出ユニット
２０    コントローラ
２１    頂部
２２    たれ壁
２６    送風ファン（送風機）
２７    第１給気ダクト
２８    第２給気ダクト
２９    第１モータダンパ（第１ダンパ）
３０    床下空間
３１    第２モータダンパ（第２ダンパ）
３２    第１導風機構
３３    底部
３４    給気チャンバ
３５ａ  第１分岐ダクト
３５ｂ  第２分岐ダクト
３５ｃ  第３分岐ダクト
３６ａ  第１風速調節ダンパ（第１〜第ｎ風速調節機構）
３６ｂ  第２風速調節ダンパ（第１〜第ｎ風速調節機構）
３６ｃ  第３風速調節ダンパ（第１〜第ｎ風速調節機構）
３７    吹出ハウジング
３８    内部空間
３９ａ  第１空気流入口（空気流入口）
３９ｂ  第２空気流入口（空気流入口）
３９ｃ  第３空気流入口（空気流入口）
４０ａ  第１空気吹出口（第１〜第ｎ空気吹出口）
４０ｂ  第２空気吹出口（第１〜第ｎ空気吹出口）
４０ｃ  第３空気吹出口（第１〜第ｎ空気吹出口）
４１    仕切板
４２ａ  第１空気流路（第１〜第ｎ空気流路）
４２ｂ  第２空気流路（第１〜第ｎ空気流路）
４２ｃ  第３空気流路（第１〜第ｎ空気流路）
４３    バイパスダクト
４４    バイパスダンパ
４５    天井空間
４６ａ〜４６ｇ  第２導風機構（導風機構）
４７    風向板（遮蔽板）
４８    支持枠（支持部材）
４９    熱溜まり
４９ａ〜４９ｃ  熱溜まり
５０    通気口
５１    天井
【図１】
0006425430.tif 000002
【図２】
0006425430.tif 000003
【図３】
0006425430.tif 000004
【図４】
0006425430.tif 000005
【図５】
0006425430.tif 000006
【図６】
0006425430.tif 000007
【図７】
0006425430.tif 000008
【図８】
0006425430.tif 000009
【図９】
0006425430.tif 000010
【図１０】
0006425430.tif 000011
【図１１】
0006425430.tif 000012
【図１２】
0006425430.tif 000013
【図１３】
0006425430.tif 000014
【図１４】
0006425430.tif 000015
【図１５】
0006425430.tif 000016
【図１６】
0006425430.tif 000017
【図１７】
0006425430.tif 000018
【図１８】
0006425430.tif 000019
【図１９】
0006425430.tif 000020
【図２０】
0006425430.tif 000021